(57)【要約】【課題】機器のサイズの小型化において、電池の出し入れの為に確保する余分なスペースを最小にする事を容易な構成で可能とすると共に、電池出し入れによる各接続端子と電池両端の各端子面との接点部の、摩擦による性能の劣化を起こさない構成を可能とする。【解決手段】機器内部に電池２を出し入れする為に開閉する電池蓋を、電池端子と直交する方向に設けると共に、電池蓋に電池端子をそれぞれガイドするガイド部１ｂ及びロック凹部１ａを設け、さらに電池蓋を開けることにより電池自身を強制的に取り出すことが可能な電池保持部１ｃを設けた電池蓋トレー１とする事により、電池と筐体４との間に十分隙間が無く取り出せない、充電池の膨らみによる摩擦や圧力により電池を取り出せない、または各接点端子の取り出しによる摩擦よる接点部の劣化するとの問題を解決し、容易に電池を取り出すことが可能となる。【選択図】図２
2005332595.tif 000002
【特許請求の範囲】
【請求項１】
一端に＋接点端子部と他端に−接点端子部を有する電池の出入を行う電池蓋装置であって、
筐体の開口部に摺動自在に収納されて枠状の電池保持部を有し、両端にロック凹部とガイド部をそれぞれ有する電池蓋トレーと、
前記ロック凹部に係合するロック部と＋・−の各々の接点端子部に当接する接点部とを一体に設け、他端を筐体の両端に各々一個所以上固定され、電池の＋・−接点端子部をほぼ垂直に各々付勢されたバネ性を有する電池端子とにより構成されることを特徴とする電池蓋装置。
【請求項２】
前記開口部の周囲にある開口部端面にパッキン溝を設けた筐体と、前記パッキン溝に圧入嵌合されて固定される防水パッキンと、前記開口部端面に対面に位置する電池蓋トレー密閉面により構成されることを特徴とする請求項１記載の電池蓋装置。
【発明の詳細な説明】
【技術分野】
【０００１】
本発明は、小型の電池駆動の電子機器で、電池の出し入れを行う電池蓋装置に関するものである。
【背景技術】
【０００２】
電池駆動の携帯型の電子機器において、機器の小型化・薄型化が進むにつれて、電池の機器に対する容積比が増してきている中で、少しでも機器を小さくする為には電池を取り出すことの出来ない内蔵型にするという方法以外では、必ず電池を取り出す為の余分なスペースや摩擦を避ける為の十分な隙間を設けなければならなかった。又、充電電池においては充電による電池自身の膨らみが発生する為、その膨らみをも考慮した更なるスペースの確保が必要であり、機器の小型化・薄型化を図る上での無駄となっている。
【０００３】
図９、図１０、図１１は、従来の電池蓋装置の構成を示したものである。
【０００４】
図９の構成において、７は回転式電池蓋、８は＋電池端子、２は電池であり、電池２は基板３の一部や筐体４により保持さえているが、電池２を取り出す時には回転式電池蓋７と＋電池端子８を回転させて開口部を作り出し、電池２の自重により落下させるか、回転式電池蓋７とは反対側のバネ式−電池端子９のバネ圧を必要な接触圧以上にすることにより電池２を持ち上げて取り出せる状態にする方法であり、いずれも電池２と筐体４及び基板３との間に十分な隙間１０がないと摩擦で取り出せない状態になる。さらに、電池２が充電池である場合には、満充電状態での充電池が膨らみを考慮した隙間１０の確保が必要となる。特許文献１に、同様の技術についての開示がある。
【０００５】
図１０の構成においては、電池蓋１１のサイズを電池２のどちらかの端部に人の指を掛けて電池の端部を持ち上げる事が可能になる取り出し空間１２が必要であり、それに伴い電池蓋１１のサイズが必要以上に大きくなるなどの、スペースのロスだけでなく機器構成上の制約やデザイン上の制約にもなる。
【０００６】
図１１の構成においては、電池２を取り出すための電池取り出し凹部１３を設けて、その凹部に電池２を落とし込むことにより反対側を持ち上げて取り出しやすくする構成となっているが、電池取り出し凹部１３のスペースを必要とすると共に＋電池端子８及びバネ式−電池端子９と電池２の接点端子部２ａが取り出す事により擦れる為、各々の接点端子部２ａのメッキ剥がれなどにより接触不具合が発生する可能性がある。
【特許文献１】特公平７−１６１０７号公報（第３図）
【発明の開示】
【発明が解決しようとする課題】
【０００７】
従来の電池蓋装置における課題は、電池取り出し可能な機器の小型化の為に、電池の各端子部の摩擦による性能の劣化や、容易な構成で取り出す為の余分なスペースを最小限にすることが出来ない点である。
【課題を解決するための手段】
【０００８】
本発明は、小型の電池駆動の電子機器で電池の取り出しを行う機器において、機器内部に電池を出し入れする為に開閉する電池蓋を、電池の端子とは直交する方向に設けると共に、電池蓋に電池端子をそれぞれガイドするガイド部及びロック凹部を設け、さらに電池蓋を開けることにより電池自身を強制的に取り出すことが可能な電池保持部を設ける事により、電池と筐体や接点端子部などとの摩擦や充電池の満充電状態による充電池の膨らみにより電池が取り出せないという事が無く、容易に電池を取り出すことが可能である事を最も主要な特徴とする。
【発明の効果】
【０００９】
本発明の電池蓋装置は、電池蓋を開けることにより十分な隙間が無くとも、電池自身を強制的に取り出すことが可能という利点がある。
【００１０】
また、電池蓋を摺動させることにより各々の電池端子が可動し電池及び電池端子のメッキ剥がれなどの接触不具合が発生しないという利点がある。
【発明を実施するための最良の形態】
【００１１】
本発明の請求項１に係る発明の電池蓋装置は、一端に＋接点端子部と他端に−接点端子部を有する電池の出入を行う電池蓋装置であって、筐体の開口部に摺動自在に収納されて枠状の電池保持部を有し、両端にロック凹部とガイド部をそれぞれ有する電池蓋トレーと、前記ロック凹部に係合するロック部と＋・−の各々の接点端子部に当接する接点部とを一体に設け、他端を筐体の両端に各々一個所以上固定され、電池の＋・−接点端子部をほぼ垂直に各々付勢されたバネ性を有する電池端子とにより構成される。
【００１２】
また、請求項２に係る発明は、請求項１において、前記開口部の周囲にある開口部端面にパッキン溝を設けた筐体と、前記パッキン溝に圧入嵌合されて固定される防水パッキンと、前記開口部端面に対面に位置する電池蓋トレー密閉面により構成されることを特徴とする。
【００１３】
以下、本発明の実施の形態を、図面を参照しながら説明する。
【００１４】
（実施の形態１）
図１は、本発明の実施の形態１による装置の外観図であって、電池蓋装置を採用した機器の外観斜視図である。機器としては、特に限定するものではなく、電池駆動による小型のものとする。
【００１５】
図２は、電池蓋装置を採用した機器の電池蓋トレー１及び電池２を外した状態の外観斜視図である。同図において、筐体４に対して、電池２を格納した電池蓋トレー１が出し入れされる。電池蓋トレー１には、ロック凹部１ａ、ガイド部１ｂ、電池保持部１ｃが形成される。また、筐体４には、開口端部面４ａと端面溝４ｂとが形成される。また、電池２には接点端子２ａが設けられており、一方が＋側の接点端子部であり、他方（図示せず）が−側の接点端子部である。なお、電池蓋トレー１の底部に電池２を出し入れし易いように穴を設けてもよい。
【００１６】
図３は、図２に示した電池蓋トレー１が筐体４に対して閉状態の部分断面図である。電池蓋トレー１は、枠状に各々電池２を保持する電池保持部１ｃを蓋の外観と共に一体に構成されており、又電池蓋トレー１の両端にはそれぞれロック凹部１ａとガイド部１ｂが設けてある。電池端子５にもロック凹部１ａ及びガイド部１ｂにロック及びガイドされる為の形状のロック部５ｂが設けてあり、筐体４の内部にガイドされて閉状態で収納されている状態では、電池端子５のロック部５ｂは電池蓋トレー１のロック凹部１ａに電池端子５のバネ性により入り込み、同時に電池端子５の接点部５ａが電池２の＋・−接点端子部２ａに各々接触する（図３は＋側を示している）事により電源供給が可能となる。さらに、電池端子５のロック部５ｂがロック凹部１ａに入り込むことにより、電池蓋トレー１を同時に保持する構成となっている。
【００１７】
図４は、図３の閉状態から電池蓋トレー１が摺動し始めの状態での部分断面図である。電池蓋トレー１を摺動させる事により、電池２が電池保持部１ｃにより取り出す方向に摺動すると共に、電池端子５の各々のロック部５ｂがロック凹部１ａより出てガイド部１ｂにガイドされることにより、電池２の＋・−接点端子部２ａと接点部５ａとの間が離れる。この事により両接点部に摩擦による不具合等を発生させる事無く、電池蓋トレー１及び電池２を確実に取り出すことが可能となる構成となっている。
【００１８】
図５は、図３に示した閉状態での側面を示した部分断面図であり、電池端子５が基板３に取り付けられており、電池２の電源を基板３に供給する構成となっている。そして、その基板３及び筐体４の下部側により電池蓋トレー１及び電池２が保持されていることにより、電池２と基板３及び筐体４との間にはほとんど隙間が無い状態で構成する事が可能であり、この事が機器の小型化・薄型化を可能とする構成となっている。
【００１９】
また、電池端子５の接点５ａとロック部５ｂとが、異なる高さで設けられており、電池蓋トレー１の開閉とロックがスムーズに行うことが可能な構成となっている。
【００２０】
（実施の形態２）
図６〜図８は、本発明の実施の形態２による電池蓋装置の実施方法を示した断面図であり、図６は電池蓋が閉状態の断面図、図７は電池蓋が開状態の断面図、図８は側面を示した部分断面図である。
【００２１】
以下の説明では、実施の形態１との相違点について説明し、その他は実施の形態１と同様であるので、説明を割愛する。
【００２２】
本実施の形態は、図３〜５の実施の形態１で示した構成の筐体４の開口端部面４ａに端面溝４ｂを全周に渡って設け、上記端面溝４ｂに防水パッキン６を圧入嵌合させたものである。これにより電池蓋トレー密閉面１ｄと開口部端面４ａとの間を防水パッキン６にて密閉する事が可能である。なお、防水パッキン６は、弾力性を有し、耐水性のある部材で有ればよい。
【産業上の利用可能性】
【００２３】
本発明にかかる電池蓋装置は、わずかな隙間で電池を出し入れ可能な構造であり、また、電池蓋トレーの摺動に伴って電池端子が可動し、電池接点部を傷つけることないという特有の効果を有し、電池駆動の電子機器における電池の収納部、電池格納部等を構成する際に有用であり、また、本発明による電池蓋装置を用いることにより電子機器を小型化する際に有用である。
【図面の簡単な説明】
【００２４】
【図１】本発明の実施の形態１における電池蓋装置を採用した機器の外観斜視図
【図２】同実施の形態１における電池蓋装置を採用した機器の電池蓋及び電池を外した状態の外観斜視図
【図３】同実施の形態１における電池蓋装置の実施方法を示した電池蓋が閉状態の部分断面図
【図４】同実施の形態１における電池蓋装置の実施方法を示した電池蓋が開き始めの状態での部分断面図
【図５】同実施の形態１における電池蓋装置の実施方法を示した側面を示した部分断面図
【図６】同実施の形態２における電池蓋装置の実施方法を示した電池蓋が閉状態の断面図
【図７】同実施の形態２における電池蓋装置の実施方法を示した電池蓋が開状態の断面図
【図８】同実施の形態２における電池蓋装置の実施方法を示した側面を示した部分断面図
【図９】従来の電池蓋装置の外観図
【図１０】従来の電池蓋装置の外観図
【図１１】従来の電池蓋装置の外観図
【符号の説明】
【００２５】
１    電池蓋トレー
１ａ    ロック凹部
１ｂ    ガイド部
１ｃ    電池保持部
１ｄ    電池蓋トレー密閉面
２    電池
２ａ    接点端子部
３    基板
４    筐体
４ａ    開口部端面
４ｂ    端面溝
５    電池端子
５ａ    接点部
５ｂ    ロック部
６    防水パッキン
７    回転式電池蓋
８    ＋電池端子
９    バネ式−電池端子
１０    隙間
１１    電池蓋
１２    取り出し空間
１３    電池取り出し凹部
【図１】
2005332595.tif 000003
【図２】
2005332595.tif 000004
【図３】
2005332595.tif 000005
【図４】
2005332595.tif 000006
【図５】
2005332595.tif 000007
【図６】
2005332595.tif 000008
【図７】
2005332595.tif 000009
【図８】
2005332595.tif 000010
【図９】
2005332595.tif 000011
【図１０】
2005332595.tif 000012
【図１１】
2005332595.tif 000013